(57)【要約】  本発明に係る装置（１）は連続可撓性部材（７）を備え、該連続可撓性部材（７）は、そのブランチを用いて、筒状編み製品（Ｇ１，Ｇ２）の端部を支持面（３１）に対して押圧し、かつ、筒状編み製品（Ｇ１，Ｇ２）を供給路に沿って、挿入位置から、縫製領域に向けて供給し、かつ、縫製領域を通過させるよう構成され、かつ、配置されており、ここで、前記縫製領域には、縫製装置（５）が配置されている。挿入位置において、連続可撓性部材（７）の筒状編み製品（７）と接触する部分が、第一湾曲部（７Ａ；７Ｂ）を形成する。縫製領域において、連続可撓性部材（７）が凸状偏向輪郭部（２５）と協働し、該凸状偏向輪郭部（２５）は、連続可撓性部材（７）の第一湾曲部（７Ａ；７Ｂ）の凸状部と同じ側に面する凸状部を用いて、連続可撓性部材（７）を湾曲させる。【選択図】    図１４
2019527590.tif 000002
【特許請求の範囲】
【請求項１】
筒状編み製品（Ｇ１，Ｇ２）のつま先縫製装置（１）であって、
連続可撓性部材（７）を備え、
該連続可撓性部材（７）が、そのブランチを用いて、筒状編み製品（Ｇ１，Ｇ２）の端部を支持面（３１）に対して押圧し、かつ、筒状編み製品（Ｇ１，Ｇ２）を供給路に沿って、挿入位置から、縫製領域に向けて供給し、かつ、縫製領域を通過させるよう構成され、かつ、配置され、
前記縫製領域に、筒状編み製品（Ｇ１，Ｇ２）のつま先を補正する縫製装置（５）が配置され、
挿入位置において、連続可撓性部材（７）の前記ブランチが、第一湾曲部（７Ａ；７Ｂ）を形成する
筒状編み製品（Ｇ１，Ｇ２）のつま先縫製装置（１）において、
縫製領域で、連続可撓性部材（７）が凸状偏向輪郭部（２５）と協働し、
該凸状偏向輪郭部（２５）が、連続可撓性部材の第一湾曲部（７Ａ；７Ｂ）の凸状部と同じ側に面する凸状部を用いて、連続可撓性部材（７）を湾曲させる
ことを特徴とする筒状編み製品のつま先縫製装置。
【請求項２】
さらに、筒状編み製品（Ｇ１，Ｇ２）を、第一位置から、連続可撓性部材（７）と支持面（３１）との間の挿入位置に移送する挿入手段（４１）を備え
前記第一湾曲部が、第一位置から挿入位置まで、筒状編み製品（Ｇ１，Ｇ２）の供給方向に面した凸状部を有する
ことを特徴とする請求項１に記載の装置。
【請求項３】
連続可撓性部材（７）が、第一湾曲部（７Ａ；７Ｂ）と凸状偏向輪郭部（２５）との間に、前記第一湾曲部（７Ａ；７Ｂ）の凸状部に対向する凸状部を備えた湾曲セグメントを形成する
ことを特徴とする請求項１又は２に記載の装置。
【請求項４】
凸状偏向輪郭部（２５）が静止カムによって形成されている
ことを特徴とする請求項１〜３の何れか一項に記載の装置。
【請求項５】
凸状偏向輪郭部（２５）が、縫製装置（５）の縫製点（２７）の位置にほぼ位置決めされた最大点（２５ｍ）を有する
ことを特徴とする請求項１〜４の何れか一項に記載の装置。
【請求項６】
凸状偏向輪郭部（２５）が、少なくとも、筒状編み製品（Ｇ１，Ｇ２）の供給路にほぼ直交する方向に調整可能である
ことを特徴とする
【請求項７】
連続可撓性部材（７）が、第一湾曲部（７Ａ；７Ｂ）の凸状部と同じ側に面する凸状部を有する第二湾曲部（７Ｂ；７Ａ）を形成し、
第一湾曲部及び第二湾曲部が、筒状編み製品（Ｇ１，Ｇ２）の供給路に沿って順に配置されている
ことを特徴とする請求項１〜６の何れか一項に記載の装置。
【請求項８】
連続可撓性部材（７）によって形成された各湾曲部（７Ａ；７Ｂ）が調整可能である
ことを特徴とする請求項１〜７の何れか一項に記載の装置。
【請求項９】
連続可撓性部材（７）の各湾曲部（７Ａ；７Ｂ）が、湾曲部の形状を変更するために位置が調整可能な、アイドルホイール（１３〜１９）、ガイド輪郭部又はアイドルホイール及びガイド輪郭部の組み合わせによって形成される
ことを特徴とする請求項１〜８の何れか一項に記載の装置。
【請求項１０】
支持面（３１）が、筒状編み製品（Ｇ１，Ｇ２）の供給路及び筒状編み製品（Ｇ１，Ｇ２）の挿入方向に対してほぼ直交する方向に移動可能なプレート（３３）によって少なくとも部分的に形成されている
ことを特徴とする請求項１〜９の何れか一項に記載の装置。
【請求項１１】
さらに、筒状編み製品（Ｇ１，Ｇ２）を、連続可撓性部材（７）によって画定された通路の外側で、可動プレート（３３）に対して挟むように配置され、かつ、制御された可動加圧手段（３７）を備えている
ことを特徴とする請求項１０に記載の装置。
【請求項１２】
可動加圧手段（３７）が、可動プレート（３３）から離れる方向に動き、かつ、連続可撓性部材（７）の摩擦によって、可動プレート（３３）に沿って、筒状編み製品（Ｇ１，Ｇ２）を移送することを可能にするように制御されえる
ことを特徴とする請求項１１に記載の装置。
【請求項１３】
挿入手段（４１）が、少なくとも一対のウィング（４５Ａ，４５Ｂ）を備え、
前記ウィングに、筒状編み製品（Ｇ１，Ｇ２）が挿入され、かつ、前記ウィングから、連続可撓性部材（７）と支持面（３１）との間の挿入位置に筒状編み製品が移送される
ことを特徴とする少なくとも請求項２に記載の装置。
【請求項１４】
ウィング（４５Ａ，４５Ｂ）、可動加圧部材（３７）及び可動プレート（３３）が、
ウィングが、それに挿入された筒状編み製品と共に、可動プレートと可動加圧部材との間に配置された時に、前記可動プレート（３３）及び前記可動加圧手段（３７）が、お互いに向けて動かされ、ウィング（４５Ａ，４５Ｂ）に対して筒状編み製品（Ｇ１，Ｇ２）を挟み、前記ウィングが戻され、筒状編み製品から引き抜かれ、前記筒状編み製品が、可動プレート及び可動加圧部材との間に挟まれたまま残るように、配置され、かつ、制御される
ことを特徴とする請求項１１及び１３又は請求項１２及び１３に記載の装置。
【請求項１５】
係合領域において、筒状編み製品（Ｇ１，Ｇ２）のつま先に面する凸状部を備えた第一湾曲（７Ａ；７Ｂ）を形成している連続可撓性部材（７）と、対向面（３１）との間に、そのつま先に近接して筒状編み製品（Ｇ１，Ｇ２）を係合する工程と、
連続可撓性部材（７）を用いて、対向面（３１）に沿って、縫製領域に向けて筒状編み製品（Ｇ１，Ｇ２）を移送し、筒状編み製品（Ｇ１；Ｇ２）のつま先に、係合領域における連続可撓性部材（７）の湾曲部（７Ａ，７Ｂ）に対して逆向きの湾曲を与える工程と、
筒状編み製品のつま先を、連続可撓性部材（７）によって縫製領域を通過するよう供給することによって縫製装置（５）を用いて筒状編み製品のつま先を縫製する工程と
を備え、
前記縫製領域において、連続可撓性部材が、連続可撓性部材（７）の第一湾曲部（７Ａ；７Ｂ）と同じ側に面する凸状部を有する湾曲部に従って湾曲されている
ことを特徴とする筒状編み製品（Ｇ１；Ｇ２）のつま先縫製方法。
【請求項１６】
対向面（３１）と連続可撓性部材（７）との間で筒状編み製品の端部を係合する工程が、
筒状編み製品（Ｇ１，Ｇ２）が配置された挿入手段（４１）を、対向面（３１）と連続可撓性部材（７）との間に位置決めする工程と、
対向面（３１）及び可動加圧手段（３７）によって、筒状編み製品（Ｇ１；Ｇ２）を両面で挟み、挿入手段（４１）に対して筒状編み製品（Ｇ１，Ｇ２）を挟む工程と、
筒状編み製品（Ｇ１；Ｇ２）から挿入手段（４１）を引出し、筒状編み製品を、可動加圧手段（３７）と対向面（３１）との間に挟んだまま残す工程と、
筒状編み製品（Ｇ１；Ｇ２）を、連続可撓性部材（７）と対向面（３１）との間に維持しながら、可動加圧手段（３７）を持ち上げる工程と
を備えている
ことを特徴とする請求項１５に記載の方法。
【請求項１７】
衣服（Ｃ０）の一部を形成する二つの筒状編み製品（Ｇ１，Ｇ２）の二つのつま先を連続して縫製する工程を含み、
好ましくは、二つのつま先は、相互に対称な線に従って縫製され、それぞれが足のつま先の非対称な輪郭に適合するように形成されている
ことを特徴とする請求項１５又は１６に記載の方法。
【発明の詳細な説明】
【技術分野】
【０００１】
靴下、ストッキング又はパンティーストッキングの脚部のような筒状編み製品のつま先を縫製によって閉じる装置が開示される。また、筒状編み製品のつま先を縫製によって閉じる方法が開示される。
【背景技術】
【０００２】
メリヤス産業では、丸編み機を用いてストッキングや靴下のような筒状編み製品を製造し、かつ、次の処理工程で縫製によって閉じられるべき開放端部、即ち、つま先を有する完成した筒状製品を、機械から外すことが公知である。幾つかの場合、筒状編み製品は、より複雑な衣服、特に、パンティーストッキングの脚部である。その衣服は、二本の脚部と、場合によっては編み機における単一の作業で編まれ得る本体とによって形成され得る。従来の方法によれば、その衣服は、相互に別々に作られた筒状編み製品によって形成される二本の脚部を結合することによって製造される。幾つかの場合、ストッキングのつま先、又はパンティーストッキングの脚部のつま先は、衣服又はその部品を製造する丸編み機と同じ丸編み機で閉じられる。より頻繁には、筒状編み製品のつま先は、個々のストッキング、パンティーストッキング脚部又は類似の衣服であるかどうかに拘わらず、編み工程の下流にある別の装置で縫製することによって閉じられる。この目的のために縫製装置が使用され、縫製装置には、筒状編み製品が正しい方向に向けられた後、筒状編み製品が供給される。
【０００３】
筒状編み製品の閉じられたつま先は、衣服を着用する人の足のつま先に適合させなければならないので、縫い目線に対して直線的でなく湾曲していること、特に、足のつま先の湾曲に近似する凸状輪郭に従っていることが有用である。この目的のために、直線に従って縫うことによって湾曲した縫い目線が得られるように、筒状編み製品を、筒状編み製品のつま先に変形を与える縫製装置に供給する装置が設計されている。この種の装置は、米国特許第4,609,419号及びドイツ国特許第2524238号に開示されている。
【０００４】
これらの公知の装置では、筒状編み製品のつま先に隣接する領域が、供給ベルトと対向する表面との間でクランプされる。ベルトは、エンドレスベルトであり、閉路を画定する。閉路のアクティブブランチは、筒状編み製品を挿入領域から縫製領域に引き寄せる。挿入領域では、ベルトはつま先に形成されることになる縫い目線の輪郭に対応する湾曲部を形成する。縫製領域では、ベルトは直線的通路をたどる。挿入領域から縫製領域へのベルトの曲率の変化のために、最終製品において、縫い目線が、足のつま先の輪郭に適合する凸状輪郭をとる。
【０００５】
湾曲された輪郭を形成する方法のために、縫製された筒状編み製品において、縫い目線にしわが形成され、それが衣服を幾分不快にし得る。
【０００６】
従って、前記した問題を解決するか又は軽減するために、ストッキングやパンティーストッキング脚部のような筒状編み製品のつま先を縫製する装置を改良する必要がある。
【先行技術文献】
【特許文献】
【０００７】
【特許文献１】米国特許第4,609,419号
【特許文献２】ドイツ国特許第2524238号
【発明の概要】
【０００８】
従来技術の一つ又は複数の問題点を完全に又は部分的に解決するために、第一の特徴によれば、連続可撓性部材を備えた、筒状編み製品のつま先縫製用装置が提供され、前記連続可撓性部材は、筒状編み製品の端部を、そのブランチで対向面に対して押圧し、筒状編み製品を、供給路に沿って、挿入位置から縫製領域に向けて、縫製領域を通過するように供給するように構成され、かつ、配置され、縫製領域には、筒状編み製品のつま先を縫製するための縫製装置が配置される。挿入位置において、対向面に対して筒状編み製品を押圧する連続可撓性部材のブランチは、第一の湾曲を形成する。縫製領域において、連続可撓性部材は、凸状偏向輪郭部と協働する。前記凸状偏向輪郭部に沿って、連続可撓性部材が案内され、かつ、前記凸状偏向輪郭部は、連続可撓性部材の第一の曲線の凸状部と同じ側に面する凸状部を有する湾曲を、連続可撓性部材に与える。
【０００９】
この構成によって、縫い目線は曲線に従って生成され、その形状は、連続可撓性部材によって形成される第一曲線によって画定される。しかしながら、縫製装置が作用する領域では、偏向輪郭部のために、筒状編み製品の生地は変形されないか、又は制限された程度までしか変形せず、従って、縫製製品におけるしわの形成が防止又は低減される。
【００１０】
この装置は、また、筒状編み製品を、第一位置から、連続可撓性部材と対向表面との間にある挿入位置まで移送するための挿入装置を有する。第一の湾曲は、第一位置から挿入位置まで筒状編み製品を供給する方向に面する凸状部を有する。
【００１１】
幾つかの実施例では、連続可撓性部材は、第一湾曲部と凸状偏向輪郭部との間に、前記第一湾曲部と対向する凸状部を備えた湾曲セグメントを形成する。実際には、可撓性部材は、そのアクティブブランチに沿って、波状輪郭部をたどる。
【００１２】
偏向輪郭部は、アイドルホイール又は静止カムによって形成され得る。有利には、偏向輪郭部は、縫製装置の縫製点にほぼ位置する最大点を有し得る。
【００１３】
有利な実施例では、偏向輪郭部は、少なくとも、筒状編み製品の供給路とほぼ直交する方向に調整可能である。同様に、筒状編み製品の挿入領域において可撓性部材の一つ又は複数の湾曲を画定するアイドル部材及びガイド部材も調整可能である。前記部材は、連続可撓性部材をガイドする複数のアイドルホイール及び／又は静止カム輪郭部を有し得る。
【００１４】
別の特徴によれば、筒状編み製品を補正する方法が提供される。
該方法は、
対向面と連続可撓性部材との間で筒状編み製品の端部を係合して、係合領域において、筒状編み製品のつま先に面する凸状部によって湾曲を形成する工程と、
連続可撓性部材によって、縫製領域に向けて、対向面に沿って筒状編み製品を移送し、係合領域において、連続可撓性部材の湾曲と逆向きの湾曲を筒状編み製品のつま先に付与す工程と、
縫製領域において、縫製装置に面する凸状部を有する湾曲部に従って連続可撓性部材を湾曲させて、連続可撓性部材によって縫製領域を通過するよう筒状編み製品のつま先を供給しながら、縫製装置によって筒状編み製品のつま先を縫製する工程
を備えている。
【００１５】
本発明は、本発明の実用的な非限定実施例を示す以下の説明及び添付図面によって、より良く理解されることになる。
【図面の簡単な説明】
【００１６】
【図１】図１は、縫製装置を含む装置の斜視図を示している。
【図２】図２は、複数の部品が取り除かれた状態の装置の斜視図を示しており、同図では、可撓性部材及びその通路が特に可視化されている。
【図３】図３は、縫製サイクルの第一工程における挿入装置、可撓性部材及びそれと協働する要素の側面図を示している。
【図４】図３のレイアウトにおける挿入装置の平面図である。
【図５】動作サイクルの連続工程における図３に対応する図面である。
【図６】動作サイクルの連続工程における図４に対応する図面である。
【図７】動作サイクルの連続工程における図３に対応する図面である。
【図８】動作サイクルの連続工程における図４に対応する図面である。
【図９】動作サイクルの連続工程における図３に対応する図面である。
【図１０】動作サイクルの連続工程における図４に対応する図面である。
【図１１】動作サイクルの連続工程における図３に対応する図面である。
【図１２】動作サイクルの連続工程における図４に対応する図面である。
【図１３】動作サイクルの連続工程における縫製装置の平面図を示している。
【図１４】動作サイクルの連続工程における縫製装置の平面図を示している。
【図１５】動作サイクルの連続工程における縫製装置の平面図を示している。
【発明を実施するための形態】
【００１７】
以下に添付図面を参照して幾つかの実施例を詳細に説明していく。異なる図面における同一の符号は、同一又は類似の構成要素を示す。加えて、添付図面は、必ずしも一定の縮尺で描かれていない。また、以下の詳細な説明は、本発明を制限するものではない。代わりに、本発明の範囲は、添付の特許請求の範囲によって確定される。
【００１８】
明細書を通して言及する「一実施例」、「ある実施例」又は「幾つかの実施例」の語は、実施例に関して説明した特定の特徴、構造又は特性が、開示された構成要件から成る少なくとも一つの実施例に含まれていることを意味する。従って、明細書を通して様々な説明で使用される「一実施例において」、「ある実施例において」又は「幾つかの実施例において」の語は、同一の実施例を参照しているとは限らない。さらに、特定の特徴、構造又は特性は、一つ又は複数の実施例において、任意の適当な方法で組み合わせられ得る。
【００１９】
以下の説明では、既に組み立てられたパンティーストッキング脚部によって形成された筒状編み製品のつま先を縫製する装置の実施例を参照する。従って、各筒状編み製品は、パンティーに結合されて複雑な衣服を形成する二つの脚部の一方によって形成されている。パンティーストッキングの二つの脚部のつま先の縫製は、順番に行われる。しかしながら、以下の説明から当業者には明らかであるように、この装置は、靴下、ストッキング又はパンティーストッキングを形成するために相互に接合することを意図した脚部のような、単一の筒状編み製品を製造するように容易に変更することができる。
【００２０】
始めに図１及び図２を参照すると、全体が符号１で示された装置は、筒状編み製品を挿入及び供給する部材から成るクラスタ３と、スティッチャ、即ち、縫製装置５とを有する。縫製装置５は、公知のタイプのオーバーロックミシンであり得る。縫製装置は、製品のつま先を縫い、縫い目線の外側の生地のスクラップを切断する。
【００２１】
クラスタ３は連続可撓性部材７を有し、該連続可撓性部材７は、例えば、ベルトであり得、以下に説明するように設計され得る。ベルト７は、アクティブブランチ及びリターンブランチを有する閉路を確定する。この目的のために、ベルト７は、二つのプーリ９及び１０の周囲でガイドされる。一方のプーリ、例えば、プーリ９は動力で動かされる。符号１１は、ベルト７を駆動するギアモータを示している。符号ｆ７は、閉路に沿ったベルト７の供給方向を示している。調整可能なアイドルホイール又はプーリが、ベルトのアクティブブランチに沿って設けられ、それらがベルト７に、二つの湾曲部７A及び７Bを形成する軌道を与える。第一湾曲部７Aは、二つのアイドルホイール１３及び１５の間に位置している。中心のアイドルホイール１７は、アイドルホイール１３及び１５間の中間位置に配置されている。ベルト７は、実質的に、中心アイドルホイールの位置で最大になる湾曲した軌道を通るように、中心アイドルホイール１７の周囲でガイドされる。第二湾曲部７Bは、アイドルホイール１５と別のアイドルホイール１９との間に形成される。別の中心アイドルホイール２１が、アイドルホイール１５及び１９間に配置されている。
【００２２】
図示実施例では、５つのアイドルホイール１３，１５，１７，１９及び２１が設けられており、装置を、パンティーストッキングを取り扱えるように、従って、各々が筒状編み製品を構成する二つの脚部を同時に処理できるように構成している。別の実施例において、装置を、靴下やストッキングのような単一の筒状編み製品のみを取り扱うように構成する場合、ベルト７によって形成された閉路に単一の湾曲部を設けるだけで十分である。
【００２３】
湾曲部７Ａ及び７Ｂには、以下に説明するように、装置１に挿入した後に、そこから筒状編み製品が到着する領域に面する凸状部と、筒状編み製品のつま先に面する凸状部とが配置されている。筒状編み製品は、以下に説明する挿入装置によってベルト７の下方に挿入される。
【００２４】
符号Ｆは、ベルト７によって画定された通路に沿って縫製装置５に向けて筒状編み製品を供給する方向を示している。実際には、ベルト７のアクティブセグメントは、そのＦが横座標であるデカルト軸線の系において、二つの中心アイドルホイール１７及び２１の位置で二つの最大部を有する波線を画定する。
【００２５】
有利な実施例では、アイドルホイール１３，１５，１７，１９及び２１は、アイドル状態で支持され、ギアモータ１１によってベルト７を動かすことにより、各軸線を中心に回転する。幾つかの実施例では、アイドルホイール１３，１５，１７，１９及び２１の一つ、幾つか又は全てが調整可能であり得る。例えば、各回転軸線の位置は、相互に独立して、矢印Ｆと直交する方向に調整され得る。幾つかの実施例では、矢印Ｆに対して直交する方向への調整の代わりに、又は、それに加えて、矢印Ｆと並行な方向に調整してもよい。アイドルホイールの回転軸線の位置を調整することによって、必要に応じて各湾曲部７Ａ及び７Ｂの形状を変更することが可能である。例えば、各湾曲部は対称ではないが、二つの湾曲が矢印Ｆと直交する線に関して相互に対象であり、中間アイドルホイール１５の軸線を含むように、二つの湾曲部７Ａ及び７Ｂを変更することが可能である。この方法では、以下に説明するように、パンティーストッキングの二つの脚部に縫い目線を形成することができ、それらは二つの脚部のつま先と同じである代わりに、対称的な形状を有する。
【００２６】
凸状偏向輪郭部２５が、ベルト７のアクティブブランチの軌道に沿って、アイドルホイール１９とアイドルプーリ１０との間に設けられている。図示実施例では、凸状偏向輪郭部２５は、カムのように形成された静止輪郭部である。ベルト７は、凸状偏向輪郭部２５及びその上のスライドの周りでガイドされている。静止凸状偏向輪郭部２５を、例えば、アイドル状態で保持され、その周りでベルト７がガイドされる偏向ホイールに交換することも可能である。
【００２７】
凸状偏向輪郭部２５は、ベルトによって形成された湾曲部７Ａ及び７Ｂの凸状部と同じ方向に向けられた凸状部を有する。実際には、図面に示すように、湾曲部７Ａ及び７Ｂの凸状部及び偏向輪郭部２５の凸状部は、全て、矢印Ｃで示された方向に向けられている。従って、アイドルホイール１７及び２１の周りでガイドする場合、ベルトが凸状偏向輪郭部２５をたどる時に、ベルトは、同じベルト７に与えられる凸状部と同じ方向に向けられた凸状部を有する湾曲部を形成するように偏向される。凸状偏向輪郭部２５は、最大点２５ｍを有する湾曲部をたどる。最大点２５ｍは、有利には、縫製装置５の縫製領域内に位置決めされ得、即ち、縫製装置の縫製針が作用する符号２７で示された領域内に位置決めされ得る。針は図面には示されていない。
【００２８】
不図示の別の実施例では、アイドルホイール１７及び２１は、偏向輪郭部２５と同様に、カム偏向輪郭部に置き換えることができる。幾つかの実施例では、アイドルホイール１３，１５及び１９は、静止カム輪郭部に、完全に又は部分的に置き換えることができる。概して、凸状偏向輪郭部２５及びアイドルホイール１３〜１９の代わりに使用される任意の輪郭部は両方共、ベルト７の滑りを容易にするために、低摩擦係数の材料で形成され得る。
【００２９】
装置１は、完全に又は部分的に支持面３１によって形成され得る対向面を有する。支持面３１は、少なくとも、ベルト７が湾曲部７Ａ及び７Ｂ並びに凸状偏向輪郭部２５の周りの湾曲を形成する領域において、ベルト７によって画定される軌道のアクティブ部分に沿って延び得る。幾つかの実施例では、支持面３１は、少なくとも部分的に、可動プレート３３によって形成され、実質的に垂直な動き、図示実施例では、筒状編み製品の供給方向Ｆに対して垂直な動きが与えられる。可動プレート３３の動作は、二重矢印ｆ３３で示されており、アクチュエータ３５、例えば、ピストン・シリンダアクチュエータ、電気モータ又は他の適当なアクチュエータによって制御され得る。
【００３０】
図示実施例では、可動プレート３３は、可動加圧手段３７と協働する。可動加圧手段３７は、支持面３１の上に配置され、かつ、該加圧手段３７には、二重矢印ｆ３７で示される可動プレート３３の動きと平行な動きが与えられ得る。符号３９は、二重矢印ｆ３７に従った動作を制御するアクチュエータを示している。装置の動作サイクルを示す図３〜図１５を参照して以下に説明するように、縫製されるべき筒状編編み製品のつま先を、それらの間に挟むために、可動プレート３３及び可動加圧手段３７は、相互に前後に配置される。
【００３１】
図示実施例では、また、装置１は、挿入装置４１を有する。挿入装置４１は、縫製されるべき一対の脚部を、第一位置から、挿入位置として以下に示される第二位置へ移送して挿入するように構成され、かつ、配置されており、挿入位置において、脚部のつま先は、可動プレート３３とベルト７のアクティブブランチとの間にある。挿入手段４１によって実行される筒状編み製品の挿入動作は、矢印ｆ４１によって示されている。図示実施例では、挿入手段４１は、パンティーストッキングＣ０の二つの脚部Ｇ１及びＧ２を、ベルト７と支持面３１との間に同時に挿入するように構成されており、従って、二重構造を有する。別の実施例では、特に、縫製されるべき筒状編み製品がパンティーストッキングＣ０の脚部Ｇ１及びＧ２ではなく、単一のストッキングである場合、例えば、挿入手段４１は、単一であり得、即ち、筒状編み製品を一つずつベルト７と支持面３１との間に挿入するように構成され得る。
【００３２】
図示実施例では、挿入手段４１は、各々に二つの脚部Ｇ１及びＧ２の一方が挿入される二つの筒状部材４３Ａ及び４３Ｂを備えている。一対のウィング４５Ａ，４５Ａ及び４５Ｂ、４５Ｂが、各々、二つの筒状部材４３Ａ及び４３Ｂの各々の内部に収容され得る。ウィングは、軸線方向に、即ち、各筒状部材４３Ａ及び４３Ｂの軸線と平行に、かつ、前記軸線を横切って移動可能であり得、以下に説明する動作で、各脚部Ｇ１及びＧ２を抜き出して、各脚部Ｇ１及びＧ２を部分的に筒状部材４３Ａ及び４３Ｂから外し、それをベルト７と下にある支持面３１との間に持っていくように構成されている。
【００３３】
脚部Ｇ１又はＧ２によって形成された各筒状編み部材は、縫製されるつま先の端部に、縁部Ｂを有し得、該縁部Ｂは、つま先を縫製した後、又は縫製している間に切断することによって取り除かれる。縫い目線は縁部Ｂの内側に位置するようにされ、それにより、各脚部Ｇ１又はＧ２の各つま先を閉鎖する縫い目を完全に残したまま、縁部Ｂを切断して完成製品から除去することができるようにしている。
【００３４】
上述した装置の動作を、図３〜図１５のシーケンスを参照して、以下に詳細に説明していく。図３及び図４は、パンティーストッキングＣ０、特に、二つの脚部Ｇ１及びＧ２を位置決めする第一ステップを示している。ウィング４５Ａ、４５Ａ及び４５Ｂ、４５Ｂは、各筒状部材４３Ａ及び４３Ｂから横方向に引き出されており、各脚部は、それらの長手方向に対して直交する方向に引っ張られている。
【００３５】
図５及び図６に示す次の工程では、ウィング４５Ａ、４５Ａ及び４５Ｂ、４５Ｂは、各筒状部材４３Ａ及び４３Ｂから長手方向に抜き出され、ウィングと脚部Ｇ１及びＧ２の生地との間の摩擦により、脚部Ｇ１及びＧ２は、矢印ｆ４１に従った動きで、ウィングによって、各つま先及び縁部Ｂが、ベルト７の下方でベルト７を超えて、ベルト７と下の可動プレート３３との間に来るまで引き出される。実際、脚部Ｇ１又はＧ２によって形成された各筒状編み製品は、この方法で、第一位置（図３）から挿入位置（図５）まで移動させられる。ベルト７の湾曲部７Ａ及び７Ｂの各凸状部は、初期位置においてベルトの対向する部分にある二つの筒状編み製品Ｇ１及びＧ２の縁部Ｂに面している。
【００３６】
次の工程（図７及び図８）では、可動プレート３３及び可動圧縮部材３７は、お互いに向けて動かされ（図７における矢印ｆ３３及びｆ３７）、二つの筒状編み製品Ｇ１及びＧ２を、ウィング４５Ａ、４５Ａ及び４５Ｂ、４５Ｂに対して挟む。好ましくは、可動プレート３３及び可動圧縮部材３７のストロークは、ウィング４５Ａ、４５Ａ及び４５Ｂ、４５Ｂに加えられる総曲げ応力が実質的にゼロになるようにされ、それにより、ウィングの曲げ歪みを回避する。
【００３７】
次の工程（図９及び図１０）では、二つの筒状編み製品Ｇ１及びＧ２を、可動プレート３３及び可動圧縮部材３７との間に挟んだまま、ウィング４５Ａ、４５Ａ及び４５Ｂ、４５Ｂは戻される。実際、脚部の生地と構成要素３３，３７との間の摩擦は、生地とウィングとの間の摩擦より大きく、その結果、ウィングは脚部の内側から除去され、脚部は可動圧縮部材３７と可動プレート３３との間に保持されたままになる。
【００３８】
ウィングが戻されると、可動圧縮部材３７及び可動プレート３３は、可動プレート３３が、ベルト７の下側縁部を押圧するまで上昇させられる。この方法により、二つの筒状編み製品Ｇ１及びＧ２の二つのつま先が、可動プレート３３とベルト７の下側縁部との間に挟まれる。可動圧縮部材３７は、非作動位置、即ち、下側にある筒状編み製品Ｇ１及びＧ２と接触しない上昇位置まで動かされ得る。この新しい位置は図１１及び図１２に示されている。
【００３９】
上述した動作の間、ベルト７は静止している。図１１及び図１２の位置に達した後、ベルト７は矢印ｆ７に従って動き始め、二つの筒状編み製品Ｇ１及びＧ２を縫製領域に向けて供給し得る。各筒状編み製品Ｇ１及びＧ２は、ベルト７と可動プレート３３との間で、ベルト７によって画定された湾曲部に沿って係合される。ベルト７が矢印ｆ７に従って動き始めると（図１３）、ベルト７は、各筒状編み製品Ｇ１及びＧ２を、摩擦によって、矢印Ｆに従って、支持面３１に沿って、縫製装置５が配置された縫製領域に向けて引っ張る。
【００４０】
アイドルホイールによってベルト７に与えられる湾曲のために、各筒状編み製品Ｇ１及びＧ２がベルト７の軌道をたどる時に、それが、ベルト７の下端に摩擦によって付着して、変形する。筒状編み製品Ｇ１及びＧ２とベルト７との間の接触線が変形され、その結果、筒状編み製品Ｇ１及びＧ２の縁部Ｂは、凹状形状をとる。
【００４１】
縫製領域に向けて供給し続けることで、筒状編み製品Ｇ１及びＧ２は、ベルト７に対してスライドすることなく接触し続け、従って、凸状偏向輪郭部２５の湾曲をたどる。供給している間、凸状偏向輪郭部２５によって画定される湾曲の最大点２５ｍの位置で、筒状編み製品Ｇ１及びＧ２は、図１４の平面図に概略的に示すように、縫製装置５によって縫製される。図１４は、脚部Ｇ１の縫製動作の中間工程を示している。
【００４２】
符号Ｌは、ポイント２７で作用する縫製装置５の針（図示せず）によって脚部Ｇ１のつま先の半分に形成された縫い目線を示している。筒状編み製品Ｇ１のつま先の縁部Ｂは、縫い目線Ｌが含まれている領域に沿って切断される一方で、縫製が実行されるポイント２７に達していない領域ではまだ残っている。
【００４３】
図１５では、パンティーストッキングＣ０は完全に縫製されており、二つの脚部Ｇ１及びＧ２によって表される二つの筒状編み製品のつま先は、足のつま先の輪郭にほぼ合った湾曲した凸状の縫い目線Ｌに沿って縫製されている。同図において符号Ｃ１で示された次のパンティーストッキングが縫製されており、パンティーストッキングＣ１の第一脚部Ｇ１は縫製が終わっており、第二脚部Ｇ２は縫製されている最中である。第三のパンティーストッキングＣ３が、動作位置に導入されるのを待機している。
【００４４】
凸状偏向輪郭部２５の存在によって、縫製が実行される点２７において、筒状編み製品Ｇ１及びＧ２の生地は凸状偏向輪郭部２５に追従するように強いられ、凸状偏向輪郭部２５が、供給路の前の領域において、ベルト７の動作によって、湾曲部７Ａ又は７Ｂとアイドルホイール１５又は１９との間で、編み生地に与えられる変形を局所的に無効にする。湾曲部７Ａ又は７Ｂの凸状部と偏向輪郭部２５の凸状部が同じ方向（矢印Ｃ）を向いているので、実質的に縫製領域（縫製点２７）において、筒状編み製品の生地は実質的に変形していない状態になる。従って、筒状編み製品Ｇ１及びＧ２の編み生地における湾曲部７Ａ又は７Ｂ及び凸状偏向輪郭部２５の効果の総和により、結果として得られる縫い線Ｌは湾曲しているが、実質的に皺が生じることなく生地は縫製される。
【図１】
2019527590.tif 000003
【図２】
2019527590.tif 000004
【図３】
2019527590.tif 000005
【図４】
2019527590.tif 000006
【図５】
2019527590.tif 000007
【図６】
2019527590.tif 000008
【図７】
2019527590.tif 000009
【図８】
2019527590.tif 000010
【図９】
2019527590.tif 000011
【図１０】
2019527590.tif 000012
【図１１】
2019527590.tif 000013
【図１２】
2019527590.tif 000014
【図１３】
2019527590.tif 000015
【図１４】
2019527590.tif 000016
【図１５】
2019527590.tif 000017
【国際調査報告】
2019527590.tif 000018
2019527590.tif 000019
2019527590.tif 000020